(57)【要約】【課題】ゴミ等により読取画像の品質が低下するのを防止することができる画像読取装置を提供する。【解決手段】画像読取装置は、搬送路を搬送される原稿Ｓの画像を読み取る画像読取部１と、前記搬送路を挟んで前記画像読取部に対向するように配置されるプラテンローラ１０１０とを備える。プラテンローラ１０は、画像読取部１の原稿Ｓの画像の読取位置に対向する部位に吸引部５７が設けられ、搬送路を搬送される原稿Ｓが吸引部５７を通る際に、吸引ファンユニット６２を駆動して吸引部５７から気体を吸引する。【選択図】図５
2010109813.tif 000002
【特許請求の範囲】
【請求項１】
搬送路を搬送される原稿の画像を読み取る画像読取部と、前記搬送路を挟んで前記画像読取部に対向するように配置されるガイド部材と、を備える画像読取装置において、
前記ガイド部材には、前記画像読取部の原稿の画像の読取位置に対向する部位に吸引部が設けられ、
前記ガイド部材の前記吸引部から気体を吸引させる気体吸引手段を備える
ことを特徴とする画像読取装置。
【請求項２】
前記ガイド部材を駆動して、前記吸引部を前記画像読取部の原稿の画像の読取位置に対向する位置と該読取位置から離間する位置とに移動させる駆動手段を備える
ことを特徴とする請求項１に記載の画像読取装置。
【請求項３】
前記ガイド部材は、白色系の部材で構成される、
ことを特徴とする請求項１又は２に記載の画像読取装置。
【請求項４】
原稿の厚さ情報に基づいて、前記気体吸引手段による気体の吸引の開始及び停止タイミング、並びに吸引する気体の風量を決定する決定手段と、該決定手段により決定された前記開始及び停止タイミング、並びに前記風量に基づいて前記気体吸引手段を制御する制御手段と、を備える
ことを特徴とする請求項１〜３のいずれか一項に記載の画像読取装置。
【請求項５】
ユーザ操作により原稿の厚さを設定する操作部を備え、前記決定手段は、前記操作部で設定された原稿の厚さ情報に基づいて、前記気体吸引手段による気体の吸引の開始及び停止タイミング、並びに吸引する気体の風量を決定する、
ことを特徴とする請求項４に記載の画像読取装置。
【請求項６】
前記画像読取部より上流側で前記搬送路を搬送される原稿の厚さを検知する検知手段を備え、前記決定手段は、前記検知手段で検知された原稿の厚さ情報に基づいて、前記気体吸引手段による気体の吸引の開始及び停止タイミング、並びに吸引する気体の風量を決定する、
ことを特徴とする請求項４に記載の画像読取装置。
【請求項７】
前記搬送路を搬送される原稿の位置を検出する検出手段を備え、前記制御手段は、前記検出手段により検出された原稿の位置情報に基づいて前記気体吸引手段を制御する、
ことを特徴とする請求項４〜６のいずれか一項に記載の画像読取装置。
【請求項８】
前記ガイド部材が、プラテンローラである、
ことを特徴とする請求項１〜７のいずれか一項に記載の画像読取装置。
【発明の詳細な説明】
【技術分野】
【０００１】
本発明は、搬送路を搬送される原稿の画像を読み取る画像読取部と、搬送路を挟んで画像読取部に対向するように配置されるガイド部材とを備えるスキャナ等の画像読取装置に関する。
【背景技術】
【０００２】
画像読取部の原稿の画像の読取位置にコンタクトガラスを設けた画像読取装置では、コンタクトガラスにゴミ等が付着すると、読取画像に縦スジ等が発生し、読取画像の品質を低下させてしまう。
【０００３】
この縦スジ等を解消する方法として、画像読取部のコンタクトガラスの上下面に沿ってエアを吹き付けてゴミ等を吹き飛ばし、コンタクトガラスの原稿の画像の読取位置にゴミ等が付着しないようにした技術が提案されている（特許文献１）。
【０００４】
また、コンタクトガラスを設けず、画像読取部の原稿の画像の読取位置に開口部を設けることで、コンタクトガラスへのゴミ等の付着による不具合を解消した技術が提案されている（特許文献２）。
【特許文献１】特開２００３−３０２７１２号公報
【特許文献２】特開２０００−４７４３７号公報
【発明の開示】
【発明が解決しようとする課題】
【０００５】
しかし、上記特許文献１では、エアをコンタクトガラスの上下面に沿って吹き付けているので、搬送される原稿がバタつきを起こし、画像読取部による原稿の読取画像が不鮮明になるおそれがある。
【０００６】
また、上記特許文献２では、開口部から画像読取部の内部にゴミ等が侵入して光学系や照射部に付着し、原稿の読取画像の質を低下させる原因になる。また、先端が折れたり反ったりした原稿が搬送されると、開口部の下流側の側面にその部分が引っ掛かり、搬送ジャムを起こす可能性が高い。
【０００７】
そこで、本発明は、ゴミ等により読取画像の品質が低下するのを防止することができる画像読取装置を提供することを目的とする。
【課題を解決するための手段】
【０００８】
上記目的を達成するために、本発明の画像読取装置は、搬送路を搬送される原稿の画像を読み取る画像読取部と、前記搬送路を挟んで前記画像読取部に対向するように配置されるガイド部材と、を備える画像読取装置において、前記ガイド部材には、前記画像読取部の原稿の画像の読取位置に対向する部位に吸引部が設けられ、前記ガイド部材の前記吸引部から気体を吸引させる気体吸引手段を備えることを特徴とする。
【発明の効果】
【０００９】
本発明によれば、ガイド部材の吸引部から気体が吸引されることで、原稿に付着したゴミ等や画像読取部の原稿の画像の読取面に付着したゴミ等も吸引部から気体と共に吸引されるため、ゴミ等により読取画像の品質が低下するのを防止することができる。
【００１０】
また、ガイド部材の吸引部から気体が吸引されることで、搬送路を搬送される原稿がガイド部材側に吸い付けられて密着するため、原稿がバタツキを起こすのを防止することができ、鮮明な読取画像を得ることができる。
【発明を実施するための最良の形態】
【００１１】
以下、本発明の実施形態を図面を参照して説明する。
【００１２】
（第１の実施形態）
図１は、本発明の第１の実施形態である画像読取装置について説明するための概略断面図である。
【００１３】
本実施形態の画像読取装置は、図１に示すように、原稿台７に積載された複数枚の原稿Ｓの最上面がピックアップローラ６に当接するまで原稿台７が上昇し、最上面の原稿Ｓから順次ピックアップローラ６及び給送ローラ４によって搬送路に給送される。
【００１４】
なお、ピックアップローラ６により２枚以上の原稿Ｓが送り出された場合は、分離ローラ１１により原稿Ｓが一枚ずつに分離されて搬送路に給送される。
【００１５】
搬送路に給送された原稿Ｓは、搬送ローラ対３ａ，３ｂにより下流側に搬送されつつ、レジストセンサ１４、紙厚センサ１７を通過して２台の画像読取部１により表面及び裏面の画像が読み取られる。
【００１６】
搬送路を挟んで画像読取部１に対向する位置には、プラテンローラ（ガイド部材）１０が配置されており、プラテンローラ１０は、原稿Ｓの種類に応じて白色又は黒色（図１の斜線部）の面を画像読取部１に対向させるように回転する。なお、プラテンローラ１０については、後述する。
【００１７】
２台の画像読取部１で両面の画像が読み取られた原稿Ｓは、搬送ローラ対３ｃ〜３ｆにより下流側に搬送され、排紙ローラ５により排紙トレイ９に排紙される。原稿台７に積載された原稿Ｓがすべて搬送路に給送されると、原稿台７は下降してホームポジションに戻る。
【００１８】
なお、本実施形態の画像読取装置は、下部ユニット１２に対して上部ユニット２がヒンジ１３を介して開閉可能に支持されている。
【００１９】
上部ユニット２の開状態では、搬送ローラ対３ａ〜３ｆ、プラテンローラ１０、画像読取部１、レジストセンサ１４、紙厚センサ１７、ピックアップローラ６、給送ローラ４、及び分離ローラ１１等の清掃、及び搬送路に詰まった原稿Ｓを取り出すことができる。
【００２０】
上部ユニット２の開閉は、不図示の開閉検知センサによって検知され、制御部１１０（図７）は、上部ユニット２が閉まったことを開閉検知センサの検知情報を基に確認して給送待機モードに入る。
【００２１】
次に、図２を参照して、画像読取部１について説明する。
【００２２】
図２に示すように、画像読取部１は、センサケース５０内に、照射部５１、レンズアレイ５２、及び受光部５３が設けられている。なお、本実施形態では、レンズアレイを用いてコンタクトイメージセンサを構成し、画像読取部１としているが、縮小光学系とＣＣＤ等を用いて画像読取部を構成してもよい。
【００２３】
センサケース５０は、搬送路を向く側に面が原稿Ｓのガイド面とされており、ガイド面の原稿Ｓの画像の読取位置には、コンタクトガラス５６が搬送路と略平行に設けられている。
【００２４】
レンズアレイ５２は、搬送路を搬送される原稿Ｓをコンタクトガラス５６を介して指向するように配置されている。照射部５１は、レンズアレイ５２の搬送路の上流側でセンサケース５０に取り付けられており、コンタクトガラス５６を介して搬送路を搬送される原稿Ｓに光を照射する。
【００２５】
受光部５３は、センサケース５０のコンタクトガラス５６の反対側の壁部にレンズアレイ５２の下面に対して対向するように配置されている。なお、レンズアレイ５２は、搬送路を搬送される原稿Ｓの像を受光部５３上に結像させるため、原稿Ｓ上に合焦位置を有する。
【００２６】
そして、照射部５１からコンタクトガラス５６を介して搬送路を搬送される原稿Ｓに光が照射されると、その反射光がコンタクトガラス５６を介してレンズアレイ５２により集光される。レンズアレイ５２により集光された光は、受光部５３に導かれて電気信号に変換され、これにより、原稿Ｓの画像が読み取られる。
【００２７】
次に、図３〜図５を参照して、プラテンローラ１０について説明する。
【００２８】
図３に示すように、プラテンローラ１０は、中空円筒状に形成されており、その一端部には、プラテンローラ１０の中空部に連通する中空軸６４が略同心に固定され、他端部には、プラテンローラ１０の中空部を閉塞する中実軸６５が略同心に固定されている。
【００２９】
中空軸６４及び中実軸６５は、装置筐体の不図示の側板等に回転可能に支持される。また、中空軸６５には、ギアＧ２が固定されており、ギアＧ２は、制御部１１０によって駆動が制御されるパルスモータＭのモータ軸に固定されたギアＧ１に噛合している。
【００３０】
ここで、本実施形態では、中空軸６４の外端部には、吸引ファンユニット（気体吸引手段）６２が接続されている。なお、本実施形態では、吸引ファンユニットをプラテンローラ１０と一体に接続しているが、吸引ファンユニットをプラテンローラ１０から離れた位置に配置し、流体管等を介して接続してもよい。
【００３１】
また、図３及び図５に示すように、プラテンローラ１０の外周部において、画像読取部１の原稿Ｓの画像の読取位置に対向する部位には、軸方向に沿って連続するスリット状の吸引口（吸引部）５７がプラテンローラ１０の中空部に連通するように形成されている。
【００３２】
吸引口５７のプラテンローラ１０の軸方向の長さ寸法は、原稿Ｓの幅方向の寸法と同等か若干長くなっており、また、吸引口５７の開口の搬送路下流側には、搬送される原稿Ｓの引っ掛かりを防止するための逃げ面５７ａが設けられている。
【００３３】
そして、吸引ファンユニット６２が駆動されると、プラテンローラ１０の吸引口５７から外部のエアが吸引され、吸引されたエアは、プラテンローラ１０の中空部、中空軸６４の内部を通って吸引ファンユニット６２に引き込まれる。
【００３４】
吸引ファンユニット６２に引き込まれたエアは、フィルタ６３でゴミ等が取り除かれた後、装置外に排気される。
【００３５】
ここで、制御部１１０は、紙厚センサ１７に検知された原稿Ｓの厚さ情報、及び原稿Ｓの搬送位置情報に基づいて、吸引ファンユニット６２による吸引口５７からのエアの吸引の開始及び停止タイミング、並びに吸引するエアの風量を制御する。詳細については、後述する。
【００３６】
なお、本実施形態では、プラテンローラ１０の黒色部分又は白色部分に吸引口５７を設けているが、プラテンローラ１０の黒色部分及び白色部分の両方向に吸引口５７を設けてもよい。
【００３７】
次に、図４（ａ）を参照して、プラテンローラ１０の回転制御の一例について説明する。
【００３８】
図４（ａ）に示すように、プラテンローラ１０の中実軸６５には、羽根８が取り付けられている。羽根８の回転角は、プラテンローラ１０の回転角として位置センサ２０によって検出され、検出された回転角は制御部１１０に出力される。
【００３９】
そして、制御部１１０が、ＰＣ１４０等からの原稿Ｓの背景色の指示に基づいて、プラテンローラ１０が所定の回転角で停止するようにパルスモータＭを制御し、これにより、画像読取部１に対向するプラテンローラ１０の色が白色又は黒色に切り替えられる。
【００４０】
例えば、印刷字濃度が薄くて透ける原稿の場合には、プラテンローラ１０の白色部分を画像読取部１に対向させて印刷文字を強調し、両面印刷で透ける原稿の場合には、プラテンローラ１０の黒色部分を画像読取部１に対向させて裏写りし難くすることが出来る。
【００４１】
なお、プラテンローラ１０は、黒色のみまたは白色のみの構成で、原稿の種類に応じて交換するようにしても良い。
【００４２】
また、プラテンローラ１０に代えて、図４（ｂ）に示すように、画像読取部１に対向して板状のガイド部材１０Ａを原稿の搬送方向に移動可能に配置し、原稿の種類に応じてガイド部材１０Ａをソレノイド５９等で移動させるような構成としてもよい。この場合、ガイド部材１０Ａに上記同様の吸引口を設け、また、ガイド部材１０Ａに吸引ファンユニットが接続される。
【００４３】
次に、図６を参照して、画像読取部１より下流側において、搬送路を搬送される原稿Ｓの厚さを検知する紙厚センサ１７の一例について説明する。
【００４４】
図６に示すように、紙厚センサ１７は、搬送路を搬送される原稿Ｓが検知レバー１５に到達すると、原稿Ｓの厚さに応じて検知レバー１５が回転中心１５ａを支点に回動し、この回動量の変化をフォトインタラプタ１６で検知する。
【００４５】
フォトインタラプタ１６は、光電変換素子を有し、光量の変化を電気信号に置き換えて原稿Ｓの紙厚を判定し、判定した原稿Ｓの厚さ情報を制御部１１０に出力する。なお、本実施形態では、レバー式の紙厚センサ１７としているが、赤外線や超音波等のセンサで透過式や反射式のものを紙厚センサに採用してもよい。
【００４６】
図７は、本実施形態の画像読取装置の制御系の一例を示す概略ブロック図である。
【００４７】
画像読取装置の制御系は、操作部１００、装置全体を制御する制御部１１０、レジストセンサ１４、紙厚センサ１７、位置センサ２０等を含むセンサ類１２０、各種ローラ対や原稿台７、プラテンローラ１０等を駆動するモータ類１３０を備える。
【００４８】
次に、図８を参照して、制御部１１０による吸引ファンユニット６２の駆動制御の一例について説明する。図８での各処理は、画像読取装置の不図示のＲＯＭ等の記憶手段に記憶された制御プログラムが不図示のＲＡＭにロードされて、制御部１１０のＣＰＵ等により実行される。
【００４９】
まず、ステップＳ１では、制御部１１０は、ＰＣ１４０からの読取指示或いは画像読取装置の不図示のスタートボタン等の押下による読取指示により原稿Ｓが搬送路に給送されると、ステップＳ２に進む。
【００５０】
ステップＳ２では、制御部１１０は、紙厚センサ１７からの原稿Ｓの厚さ情報を取得し、ステップＳ３に進む。
【００５１】
なお、本実施形態では、原稿Ｓの厚さ情報を紙厚センサ１７から取得しているが、これに代えて、操作部１００でユーザ操作により設定された原稿Ｓの厚さ情報を取得するようにしてもよい。
【００５２】
ステップＳ３では、制御部１１０は、吸引ファンユニット６２によるプラテンローラ１０の吸引口５７からのエア吸引の開始タイミング及び停止タイミングを決定する。
【００５３】
ここで、制御部１１０は、原稿Ｓの搬送速度を監視している。このため、レジストセンサ１４により原稿Ｓが検知された時点からの時間をカウントすることで、何秒後に原稿Ｓが搬送路のどの位置に到達しているのか、即ち、原稿Ｓの搬送位置情報を計算によって検出することができる。
【００５４】
従って、例えば、原稿Ｓが吸引口５７に到達したタイミングを吸引ファンユニット６２によるエア吸引開始タイミングとし、原稿Ｓが吸引口５７を通過したタイミングをファンユニット６０によるエア供給停止タイミングとすることができる。
【００５５】
また、本実施形態では、ステップＳ２で取得した原稿Ｓの厚さ情報に応じて、吸引ファンユニット６２によるエア吸引の開始タイミング及び停止タイミングを変更する。
【００５６】
例えば、原稿Ｓの厚さが所定の厚さより薄い場合は、制御部１１０は、吸引ファンユニット６２によるエア吸引開始タイミングを、原稿Ｓの先端が吸引口５７に到達してから所定距離進んだ後になるよう決定する。
【００５７】
具体的には、原稿Ｓが通常の厚さであれば、搬送ローラ対３ｃに原稿Ｓの先端が到達したタイミングを、図１の上流側（上側）のプラテンローラ１０の吸引口５７からのエア吸引開始タイミングとすることができる。また、搬送ローラ対３ｄに原稿Ｓの先端が到達したタイミングを、図１の下流側（下側）のプラテンローラ１０の吸引口５７からのエア吸引開始タイミングとすることができる。
【００５８】
一方、原稿Ｓの厚さが薄い場合は、搬送ローラ対３ｃに原稿Ｓの先端が挟持されたタイミングを、図１の上流側（上側）のプラテンローラ１０の吸引口５７からのエア吸引開始タイミングとすることができる。また、搬送ローラ対３ｄに原稿Ｓの先端が挟持されたタイミングを、図１の下流側（下側）のプラテンローラ１０の吸引口５７からのエア吸引開始タイミングとすることができる。
【００５９】
続いて、ステップＳ３では、制御部１１０は、ステップＳ２で取得した原稿Ｓの厚さ情報に応じて、吸引ファンユニット６２により吸引口５７から吸引されるエアの風量を決定し、ステップＳ４に進む。
【００６０】
本実施形態では、制御部１１０は、通常の厚さ（基準厚さ）の原稿をデフォルト値の風量とし、基準厚さより薄い原稿の場合の風量をデフォルト値より減じ、基準厚さより厚い原稿の場合の風量をデフォルト値より増すように決定する。なお、ここでは、３種類の風量にしているが、これに限定されるものではない。
【００６１】
ステップＳ４では、制御部１１０は、レジストセンサ１４により原稿Ｓが検知された時点からの時間のカウント値を基に、ステップＳ３で決定したエア吸引開始タイミングの位置に原稿Ｓが到達したか否かを判断する。
【００６２】
そして、制御部１１０は、エア吸引開始タイミングの位置に原稿Ｓが到達したと判断した場合は、ステップＳ５に進む。
【００６３】
ステップＳ５では、制御部１１０は、ステップＳ３で決定した風量で、上述したように、吸引ファンユニット６２によるプラテンローラ１０の吸引口５７からのエア吸引を開始し、ステップＳ６に進む。
【００６４】
ステップＳ６では、制御部１１０は、レジストセンサ１４により原稿Ｓが検知された時点からの時間のカウント値を基に、ステップＳ３で決定したエア吸引停止タイミングの位置に原稿Ｓが到達したか否かを判断する。
【００６５】
そして、制御部１１０は、エア吸引停止タイミングの位置に原稿Ｓが到達したと判断した場合は、ステップＳ７に進む。
【００６６】
ステップＳ７では、制御部１１０は、吸引ファンユニット６２によるプラテンローラ１０の吸引口５７からのエア吸引を停止し、ステップＳ８に進む。
【００６７】
ステップＳ８では、制御部１１０は、原稿台７に設けられた不図示の原稿検知センサからの信号を基に、原稿台７に原稿Ｓがあるか否かを判断する。
【００６８】
そして、制御部１１０は、原稿台７に原稿Ｓがあると判断した場合は、ステップＳ４に戻って、上述したステップＳ４〜ステップＳ８の処理を繰り返し、原稿台７に原稿Ｓがないと判断した場合は、処理を終了する。なお、原稿一枚ごとに厚さ情報を取得する場合は、ステップＳ２に戻るようにしてもよい。
【００６９】
以上説明したように、本実施形態では、プラテンローラ１０の吸引口５７からエアが吸引されることで、原稿Ｓに付着したゴミ等や画像読取部１のコンタクトガラス５６に付着したゴミ等も吸引口５７からエアと共に吸引される。このため、ゴミ等により読取画像の品質が低下するのを防止することができる。
【００７０】
また、本実施形態では、プラテンローラ１０の吸引口５７からエアが吸引されることで、搬送路を搬送される原稿Ｓがプラテンローラ１０側に吸い付けられて密着するため、原稿Ｓがバタツキを起こすのを防止することができ、鮮明な読取画像を得ることができる。
【００７１】
更に、本実施形態では、原稿Ｓの厚さに応じて吸引ファンユニット６２によりプラテンローラ１０の吸引口５７から吸引されるエアの風量を増減制御している。このため、吸引口５７を通る原稿Ｓの厚さが異なる場合でも、該原稿Ｓをプラテンローラ１０に確実に吸い付けて密着させることができる。
【００７２】
更に、本実施形態では、搬送される原稿Ｓがプラテンローラ１０に吸い付けられて密着することから、原稿Ｓの画像読取時のピントを合いやすくするために画像読取部１のガイド面とプラテンローラ１０との隙間を狭くしなくて済む。これにより、ジャムや異音の発生を防止することができる。
【００７３】
更に、本実施形態では、プラテンローラ１０に設けた吸引口５７により、搬送される原稿Ｓがプラテンローラ１０を擦って該プラテンローラ１０の表面に擦りキズや摩耗が発生するのを防止することができる。このため、メンテナンス費用やランニングコスト等の低減を図ることができる。
【００７４】
更に、本実施形態では、プラテンローラ１０に設けた吸引口５７により、原稿Ｓの印刷部分がプラテンローラ１０に転写して汚れる等の不具合を防止することができる。
【００７５】
（第２の実施形態）
次に、図９を参照して、本発明の第２の実施形態である画像読取装置について説明する。なお、上記第１の実施形態に対して、重複又は相当する部分については符号等を流用して説明する。
【００７６】
本実施形態の画像読取装置は、図９に示すように、プラテンローラ１０の全周面が白色系材料で構成されている。
【００７７】
このように構成することで、図９に実線で図示したプラテンローラ１０の吸引口５７が原稿Ｓの画像の読取位置（コンタクトガラス５６）に対向しない離間した位置に移動させて画像の読取を行えば、原稿Ｓの背景色を白色とすることが可能になる。この状態で吸引口５７からエアを吸引してゴミ等を吸引することもできる。
【００７８】
一方、図９の二点鎖線で示した位置にプラテンローラ１０の吸引口５７を移動させて原稿Ｓの画像の読取位置に対向させ、この状態で画像の読取を行えば、吸引口５７の凹形状によって照明部５１から照射された光のうち、プラテンローラ１０が反射する光量が減る。従って、原稿の背景色を黒にして読み取りたいときに吸引口５７を読取位置に対向させるように設定しておけば、白色系材料のみで形成されたプラテンローラ１０で原稿の背景色を白又は黒に切り替えることが可能になる。
【００７９】
これにより、２色のプラテンローラ１０に比べてプラテンローラ１０の構造が簡単になるため、コストダウンを図ることができる。なお、図４（ｂ）に示す板状のガイド部材１０Ａであっても、同様の吸引口を設けることで同様な効果を得ることができる。その他の構成及び作用効果は、上記第１の実施形態と同様である。
【００８０】
なお、本発明の構成は、上記各実施形態に例示したものに限定されるものではなく、材質、形状、寸法、形態、数、配置箇所等は、本発明の要旨を逸脱しない範囲において適宜変更可能である。また、上記各実施形態と他の実施形態の構成要素とを組み合わせてもよく、本発明に含まれる。
【図面の簡単な説明】
【００８１】
【図１】本発明の第１の実施形態である画像読取装置について説明するための概略断面図である。
【図２】画像読取装置を説明するための断面図である。
【図３】プラテンローラを説明するための斜視図である。
【図４】（ａ）はプラテンローラの回転制御の一例について説明するための斜視図、（ｂ）はガイド部材を説明するための斜視図である。
【図５】プラテンローラの吸引口からのエアの吸引動作を説明するための断面図である。
【図６】紙厚センサの一例について説明するための斜視図である。
【図７】画像読取装置の制御系の一例を示す概略ブロック図である。
【図８】制御部による吸引ファンユニットの駆動制御の一例について説明するためのフローチャート図である。
【図９】本発明の第２の実施形態である画像読取装置について説明するための断面図である。
【符号の説明】
【００８２】
１  画像読取部
２  上部ユニット
３ａ〜３ｆ  搬送ローラ対
４  給送ローラ
５  排紙ローラ
６  ピックアップローラ
７  原稿台
８  羽根
９  排紙トレイ
１０  プラテンローラ
１０Ａ  ガイド部材
１１  分離ローラ
１２  下部ユニット
１３  ヒンジ
１４  レジストセンサ
１５  検知レバー
１６  フォトインタラプタ
１７  紙厚センサ
２０  位置センサ
５０  センサケース
５１  照明部
５２  レンズアレイ
５３  受光部
５６  コンタクトガラス
５７  吸引口
５７ａ  逃げ面
５９  ソレノイド
６２  吸引ファンユニット
６３  フィルタ
６４  中空軸
６５  中実軸
１００  操作部
１１０  制御部
１４０  ＰＣ
Ｍ  パルスモータ
Ｓ  原稿
Ｇ１，Ｇ２  ギア
【図１】
2010109813.tif 000003
【図２】
2010109813.tif 000004
【図３】
2010109813.tif 000005
【図４】
2010109813.tif 000006
【図５】
2010109813.tif 000007
【図６】
2010109813.tif 000008
【図７】
2010109813.tif 000009
【図８】
2010109813.tif 000010
【図９】
2010109813.tif 000011